(57)【要約】      （修正有）【課題】水ぬれや発汗などに強く、剥がれを防ぎ患部を安定的に長時間継続して保護し、加えて、滑る心配がなく、指サックの様な機能を持った絆創膏を提供する。【解決手段】絆創膏の本体の外側面の一端部に外側接着面４を設け、その上に本体の内側全面に設けられた内側接着面２を巻きつけ重ねて、接着面同志を結びつけ接着する。本体の他端部にミシン目８からなる分離部分を設ける。【選択図】図１
0003174388.tif 000002
【実用新案登録請求の範囲】
【請求項１】
本考案は、外側部分接着面（４）に内側接着面（２）を、即ち、接着面同志を巻きつけ重ね接着する事を特徴とするダブル接着絆創膏である。
【請求項２】
本考案は、ミシン目（８）で分離部分（９）を除去後、隣接する内側接着面（２）の一部（１０）を外側部分接着面（４）に巻きつけ重ねた接着部を（４ｂ）とし、露出した外側部分接着面（４）の一部（４ａ）を保持する請求項１の絆創膏。
【考案の詳細な説明】
【技術分野】
【０００１】  本考案は、医療用に用いられている絆創膏で、特に患部に巻き付けて使用する絆創膏に関して、患部の早期回復を促すため安定した状態で、長時間継続的に保護し得る強い接着力を持つ絆創膏を提供するものである。
【背景技術】
【０００２】  従来の絆創膏は、動きの激しい指先などの患部に使用すると、水ぬれや発汗等による障害に対し、安定した状態で長時間継続的に保護する事が困難である。
【特許文献１】  特開２００５−１９２９８２号［発明を実施するための最良の形態］の記載。
【考案の開示】
【考案が解決しようとする課題】
【０００３】  従来の絆創膏は、特に動きの激しい指先などに巻きつけて使用する際、水ぬれや発汗等によって剥がれ易く、患部を保護する目的を充分に達せられず、回復を遅らせ悪化させていた。本考案は、強い接着力のある絆創膏の提供によってその欠点を解消する。
また、絆創膏を指に巻きつけた状態の手で、ホットコーヒー等が満たされた紙コップを持つと、コップ本体表面に撥水性の表面処理が施されているため滑って危険である。
【課題を解決するための手段】
【０００４】  本考案は、図３のように本体外側右端面に設けた外側部分接着面４に、内側接着面２の先端部を図５のように巻きつけ重ねるように接着する。接着剤面同志が強く接着するダブル接着絆創膏となる。４と２を結びつける接着力は状況に応じて調節することも出来る。
また、図４においてミシン目８で、分離部分９を除去後、隣接する内側接着面２の一部１０を外側部分接着面４に巻きつけ重ねた接着部を４ｂとすると、外側部分接着面４の一部４ａが露出する。露出部は滑りやすい物を持つ時に、滑り防止に機能し、更に指サックのような利用もできる。また露出部の面積はミシン目に拘わらず効果的な部分でカットして調節することも可能である。尚、この機能をより有効にするため外側部分接着面は、内側接着面より接着力をやや弱くする。
【考案の効果】
【０００５】  本考案は、接着面同志が巻かれ重ねられて強く接着して結びつくため、特に動きの激しい指先などの患部も長時間継続して安定した状態で保護し、途中で剥がれにくく、患部の回復にも好結果をもたらす。従って、直接肌に接する内側接着面２の接着力を加減することも可能となり、肌のカブレなど皮膚への影響も調整できる。手軽に滑り止め用としても利用でき、ゴム手袋など使用の節約や脱着の手間も省け、長時間の作業などでの指ムレなどがなく快適である。また、４ａ部分は微細な物を取り扱う場合には最適である。
【考案を実施するための最良の形態】
【実施例１】
【０００６】  本考案絆創膏の本体（基材）は、公知のポリ塩化ビニルフィルム等を使用し、接着剤は肌にやさしいものを使う。使用時は、本体の外側部分接着面４に内側接着面２を巻きつけ重ね接着する。サイズの種類、形状は用途を考慮して決め、外側部分接着面の面積は効果的な接着力が安定した状態で長時間継続して維持出来るよう可能な限り広くとる。指などの直接患部保護のほかに、包帯止めや止血絆としても応用できる。この場合はミシン目で分離せず現状のまま使用する。
【実施例２】
【０００７】  本考案絆創膏を指に巻きつけ紙コップ等の滑り止めとして利用する際は、ミシン目で分離部分９を除去後、隣接する内側接着面２の一部１０を外側部分接着面４に巻きつけ接着したのち、露出した外側部分接着面４の一部４ａの働きよってなされる。このような方法で使用する状況によって親指、人差し指、中指など複数の指に巻きつけ、コップ等を挟むようにして持つ。更に指サックのように紙を捲ることもできる。いずれの場合も指に巻きつけ方は、露出する外側部分接着面４ａが図６斜視図の如く、掌側に向くようにする。
【図面の簡単な説明】
【０００８】
【図１】  図２のＡ−Ａ’と指５の巻きつける前の配置関係（巻きつける際は、包装袋、剥離シートは除去。）
【図２】  本体内側平面図（包装袋、剥離シートは省略）
【図３】  本体外側平面図ａ（包装袋、剥離シートは省略）
【図４】  本体外側平面図ｂ（包装袋、剥離シートは省略）
【図５】  図１の状態で指に本考案絆創膏を巻きつけた断面図
【図６】  分離部分を除去後、本考案絆創膏を指に巻きつけた実施例の斜視図
【符号の説明】
【０００９】  １  本体（基材）
２  内側接着面
３  パッド
４  外側部分接着面
４ａ  外側部分接着面４に１０を巻きつけ接着したのち露出した４の一部
４ｂ  内側接着面の一部１０を４に巻きつけ接着した際の４の一部
５  指
６  包装袋
７  剥離シート
８  切り取りミシン目
９  分離部分
１０  分離部分９に隣接する内側接着面２の一部
【図１】
0003174388.tif 000003
【図２】
0003174388.tif 000004
【図３】
0003174388.tif 000005
【図４】
0003174388.tif 000006
【図５】
0003174388.tif 000007
【図６】
0003174388.tif 000008
【手続補正書】
【提出日】平成23年12月21日(2011.12.21)
【手続補正１】
【補正対象書類名】実用新案登録請求の範囲
【補正対象項目名】全文
【補正方法】変更
【補正の内容】
【実用新案登録請求の範囲】
【請求項１】
本体（１）と、該本体（１）の外側面の一端部に設けた外側接着面（４）と、前記本体（１）の内側面の全面に設けた内側接着面（２）と、からなることを特徴とするダブル接着絆創膏。
【請求項２】
前記本体（１）の他端部に、ミシン目（８）からなる分離部分（９）を設けたことを特徴とする請求項１のダブル接着絆創膏。
【手続補正２】
【補正対象書類名】明細書
【補正対象項目名】全文
【補正方法】変更
【補正の内容】
【考案の詳細な説明】
【技術分野】
【０００１】  本考案は、医療用に用いられている絆創膏で、特に患部に巻き付けて使用する絆創膏に関して、患部の早期回復を促すため安定した状態で、長時間継続的に保護し得る強い接着力を持つ絆創膏を提供するものである。
【背景技術】
【０００２】  従来の絆創膏は、動きの激しい指先などの患部に使用すると、水ぬれや発汗等による障害に対し、安定した状態で長時間継続的に保護する事が困難である。【特許文献１】特開２００５−１９２９８２号［発明を実施するための最良の形態］の記載。
【考案の開示】
【考案が解決しようとする課題】
【０００３】  従来の絆創膏は、特に動きの激しい指先などに巻きつけて使用する際、水ぬれや発汗等によって剥がれ易く、患部を保護する目的を充分に達せられず、回復を遅らせ悪化させていた。本考案は、強い接着力のある絆創膏の提供によってその欠点を解消する。  また、絆創膏を指に巻きつけた状態の手で、ホットコーヒー等が満たされた紙コップを持つと、コップ本体表面に撥水性の表面処理が施されているため滑って危険である。
【課題を解決するための手段】
【０００４】  本考案は、図３のように本体の外側面の一端部に設けた外側接着面４に、内側接着面２の他端部を図５のように巻きつけ重ねるように接着する。接着面同志が強く接着するダブル接着絆創膏となる。４と２を結びつける接着力は状況に応じて調節することも出来る。  また、図４においてミシン目８で、分離部分９を除去後、隣接する内側接着面２の一部１０を外側接着面４に巻きつけ重ねた接着面を４ｂとすると、外側接着面４の一部４ａが露出する。露出面は滑りやすい物を持つ時に、滑り防止に機能し、更に指サックのような利用もできる。また露出面の面積はミシン目に拘わらず効果的な部分でカットして調節することも可能である。尚、この機能をより有効にするため外側接着面は、内側接着面より接着力をやや弱くする。
【考案の効果】
【０００５】  本考案は、接着面同志が巻かれ重ねられて強く接着するため、特に動きの激しい指先などの患部も長時間継続して安定した状態で保護し、途中で剥がれにくく、患部の回復にも好結果をもたらす。従って、直接肌に接する内側接着面２の接着力を加減することも可能となり、肌のカブレなど皮膚への影響も調整できる。手軽に滑り止め用としても利用でき、ゴム手袋など使用の節約や脱着の手間も省け、長時間の作業による指ムレなどがなく快適である。また、４ａ部分は微細な物を取り扱う場合には最適である。
【考案を実施するための最良の形態】
【実施例１】
【０００６】  本考案絆創膏の本体（基材）は、公知のポリ塩化ビニルフィルム等を使用し、接着剤は肌にやさしいものを使う。使用時は、本体の外側接着面４に内側接着面２の他端部を巻きつけ重ね接着する。サイズの種類、形状は用途を考慮して決め、外側接着面の面積は効果的な接着力が安定した状態で長時間継続して維持出来るよう可能な限り広くとる、指などの直接患部保護のほかに、包帯止めや止血絆としても応用できる。この場合はミシン目で分離せず現状のまま使用する。
【実施例２】
【０００７】  本考案絆創膏を指に巻きつけ紙コップ等の滑り防止に利用する時は、本体の分離部分９をミシン目で除去後、隣接する内側接着面２の一部１０を外側接着面４に巻きつけ接着した後、露出した外側接着面４の一部４ａの働きによってなされる。使用する状況によって親指、人差し指、中指など複数の指に巻きつけ、コップ等を挟むようにして持つ。更に指サックのように紙を捲ることもできる。いずれの場合も指に巻きつけ方は、露出する外側接着面４ａが図６斜視図の如く、掌側に向くようにする。
【図面の簡単な説明】
【０００８】
【図１】図２のＡ−Ａ’と指５の巻きつける前の配置関係（巻きつける際は、包装袋、剥離シートは除去。）
【図２】本体内側平面図（包装袋、剥離シートは省略）
【図３】本体外側平面図（包装袋、剥離シートは省略）
【図４】本体外側平面図（包装袋、剥離シートは省略）
【図５】図１の状態で指に本考案絆創膏を巻きつけた断面図
【図６】分離部分を除去後、本考案絆創膏を指に巻きつけた実施例の斜視図
【符号の説明】
【０００９】  １  本体（基材）  ２  内側接着面  ３  パッド  ４  外側接着面  ４ａ  分離部分９を除去後、外側接着面４に１０を巻きつけ接着したのち露出した４の一部  ４ｂ  内側接着面の一部１０を４に巻きつけ接着した際の４の一部  ５  指  ６  包装袋  ７  剥離シート  ８  切り取りミシン目  ９  分離部分１０  分離部分９に隣接する内側接着面２の一部
【手続補正３】
【補正対象書類名】図面
【補正対象項目名】図２
【補正方法】変更
【補正の内容】
【図２】
0003174388.tif 000009